(57)【要約】【課題】皮膚等の生体に接触させても苦痛を伴うことなく、生体情報の測定を精度良く安定して行うことのできる生体情報測定用電極を提供する。【解決手段】複数の導電線１１１を有する導電束体１１０と、導電束体１１０と電気的に接続された端子部１３０と、を有し、導電束体１１０の先端部（一方の端部１１０ａ）が生体（皮膚４０）と接触可能な生体情報測定用電極であって、導電線１１１は、カーボン繊維により形成されており、導電束体１１０の周囲に位置する保護部材１２０を有し、導電束体１１０は、カーボン繊維を一方向Ｃに揃えて形成されており、保護部材１２０に対し一方向Ｃに移動可能であって、保護部材１２０の一端部（一方の端部１２０ａ）は、導電束体１１０の先端部（一方の端部１１０ａ）側を取り囲んでいることを特徴とする生体情報測定用電極により上記課題を解決する。【選択図】  図４
2018068837.tif 000002
【特許請求の範囲】
【請求項１】
複数の導電線を有する導電束体と、
前記導電束体と電気的に接続された端子部と、
を有し、前記導電束体の先端部が生体と接触可能な生体情報測定用電極であって、
前記導電線は、カーボン繊維により形成されており、
前記導電束体の周囲に位置する保護部材を有し、
前記導電束体は、前記カーボン繊維を一方向に揃えて形成されており、前記保護部材に対し前記一方向に移動可能であって、
前記保護部材の一端部は、前記導電束体の前記先端部側を取り囲んでいることを特徴とする生体情報測定用電極。
【請求項２】
前記導電束体が保持される保持部材と、該保持部材と接続され前記一方向に沿って変形可能な支持部材と、を有していることを特徴とする請求項１に記載の生体情報測定用電極。
【請求項３】
前記導電束体と前記保護部材とにより電極脚が形成されており、
前記電極脚が複数設けられていることを特徴とする請求項２に記載の生体情報測定用電極。
【請求項４】
前記電極脚における各々の前記保護部材が一体的に支持されている保護基体を有し、
前記保持部材は、前記電極脚における各々の前記導電束体を一体的に保持する保持基体を有し、
前記保護基体と前記保持基体とが前記支持部材で接続されていることを特徴とする請求項３に記載の生体情報測定用電極。
【請求項５】
前記支持部材が前記保護部材に繋がれていることを特徴とする請求項２または請求項３に記載の生体情報測定用電極。
【請求項６】
前記支持部材は、前記一方向に弾性を有するバネ体或いはゴム体、または前記一方向に伸縮自在の蛇腹体のいずれかであることを特徴とする請求項２から請求項５のいずれかに記載の生体情報測定用電極。
【請求項７】
前記保護部材の形状は筒状であることを特徴とする請求項１から請求項６のいずれかに記載の生体情報測定用電極。
【請求項８】
前記導電束体の前記先端部は、前記保護部材内に全て収容されていることを特徴とする請求項１から請求項７のいずれかに記載の生体情報測定用電極。
【請求項９】
前記導電束体における前記先端部は、前記導電束体の一方の端部であり、
前記導電束体の他方の端部は、前記端子部に接続されていることを特徴とする請求項１から請求項８のいずれかに記載の生体情報測定用電極。
【発明の詳細な説明】
【技術分野】
【０００１】
本発明は、生体情報測定用電極に関するものである。
【背景技術】
【０００２】
近年、様々な生体の情報、例えば、脈波、心電、筋電、体脂肪、脳波等の生体情報の測定が行われている。このような生体情報の測定には、通常の電極とは異なり、安定して生体と接触させることのできる生体情報測定用電極が必要となるため、様々な生体情報測定用電極が提案されている。特に、毛髪や体毛のある生体（皮膚）に押し当てる生体情報測定用の電極に関しては、皮膚から生えた毛を避けつつ皮膚に接触させることが求められるとともに、皮膚との接触の安定性が求められていた。
【０００３】
このような生体情報測定用の電極の１つとして、例えば、金等の細線を束ねることにより電極チップを形成し、この電極チップが外筒の前方に突き出しており、ある程度の押し圧で皮膚に押し当てた際に、電極チップが上下に可動する構造の脳波測定用プローブが開示されている（例えば、特許文献１）。また、例えば、基材繊維に導電性高分子をコーティングしてなる導電性繊維を用い、この導電性繊維をベースに束ね、接触子（電極）としている生体電極が開示されている（例えば、特許文献２）。
【先行技術文献】
【特許文献】
【０００４】
【特許文献１】実公平５−８９６９号公報
【特許文献２】特開２０１５−１６１６６号公報
【発明の概要】
【発明が解決しようとする課題】
【０００５】
特許文献１に記載されている脳波測定用プローブでは、皮膚と接触する電極チップが金属製であるため、硬い電極チップを軟らかい皮膚に押し当てると、頭が痛くなり苦痛を伴うと云う課題があった。この課題を少しでも低減するため、脳波測定用プローブでは、電極チップの先端部に電解液を供給できる機構を設け、弱い押し圧であっても電極チップと皮膚との接触性の安定性が図れるようにしていた。しかしながら、この電解液を供給するための複雑な機構を構成しなければいけないと云う別な課題も有していた。
【０００６】
一方、特許文献２に記載されている生体電極では、軟らかい（変形し易い）導電性繊維を用いているため、頭が痛くなり苦痛を伴うと云う課題は解消されている。しかしながら、大きく変形するため、生体電極と皮膚との接触圧を充分確保できず、接触抵抗が安定しないと云う課題があった。
【０００７】
このため、皮膚等の生体に接触させても苦痛を伴うことなく、生体情報の測定を精度良く安定して行うことのできる生体情報測定用電極が求められている。
【課題を解決するための手段】
【０００８】
本実施の形態の一観点によれば、複数の導電線を有する導電束体と、前記導電束体と電気的に接続された端子部と、を有し、前記導電束体の先端部が生体と接触可能な生体情報測定用電極であって、前記導電線は、カーボン繊維により形成されており、前記導電束体の周囲に位置する保護部材を有し、前記導電束体は、前記カーボン繊維を一方向に揃えて形成されており、前記保護部材に対し前記一方向に移動可能であって、前記保護部材の一端部は、前記導電束体の前記先端部側を取り囲んでいることを特徴とする。
【発明の効果】
【０００９】
開示の生体情報測定用電極によれば、皮膚等の生体に接触させても苦痛を伴うことなく、生体情報の測定を精度良く安定して行うことができる。
【図面の簡単な説明】
【００１０】
【図１】比較例におけるカーボン繊維を用いた生体情報測定用の電極の説明図
【図２】比較例及び本実施の形態に用いるカーボン繊維の説明図
【図３】第１実施の形態における生体情報測定用電極の構造の説明図
【図４】第１実施の形態における生体情報測定用電極が皮膚に接触する様子の説明図
【図５】図４（ｂ）の要部拡大図
【図６】第１実施の形態における生体情報測定用電極の変形例１及び変形例２の説明図
【図７】第１実施の形態における生体情報測定用電極の変形例３の説明図
【図８】第２実施の形態における複数の電極脚を有する生体情報測定用電極の斜視図
【図９】第２実施の形態における複数の電極脚を有する生体情報測定用電極の断面図
【図１０】第２実施の形態における複数の電極脚を有する生体情報測定用電極の変形例の断面図
【発明を実施するための形態】
【００１１】
実施するための形態について、以下に説明する。尚、同じ部材等については、同一の符号を付して説明を省略する。また、以下の説明では、一例として生体の一部である毛髪や体毛のある皮膚に生体情報測定用電極を接触させて生体情報の測定を行う場合について説明するが、本実施の形態における生体情報測定用電極は、生体の一部であれば、毛髪や体毛のある皮膚以外の皮膚等（生体）に接触させるものであっても良い。
【００１２】
〔第１実施の形態〕
本実施の形態における生体情報測定用電極は、皮膚等の生体に接触させる電極として、導電性を有するカーボン繊維を用いていることを特徴としている。
【００１３】
（比較例）
ここで、先ず最初に、単にカーボン繊維を用いた電極では、生体情報の測定を正確に行うことが困難であることについて、比較例を用いて説明する。図１には、カーボン繊維を用いた比較例の電極９００を例示する。図１では、１本のカーボン繊維或いは複数本のカーボン繊維が結束されたものを導電線９１１として模式化して図示している。尚、図１（ａ）は、電極９００を皮膚４０に接触させる前の状態を示し、図１（ｂ）及び（ｃ）は、電極９００が皮膚４０に接触している状態を示す。
【００１４】
先ず、この電極９００は、図１（ａ）に示すように、カーボン繊維が結束された複数の導電線９１１が束ねられて、導電束体９１０を形成して構成されている。そして、電極９００は、導電束体９１０の一方の端部９１０ａが生体の皮膚４０（図１（ｂ）を参照）と接触する先端部であり、導電束体９１０の他方の端部９１０ｂが測定情報を取り出す端子部９３０に電気的に接続されている。
【００１５】
このような電極９００を用いて生体情報を測定する際には、導電束体９１０の先端部を皮膚４０に接触させて測定を行うことが必要となる。具体的には、生体情報の測定を行う際には、電極９００の導電束体９１０の先端部となる一方の端部９１０ａを皮膚４０に接触させる（図１（ｂ）を参照）。更に、電極９００と皮膚４０との接触を確実にするために、電極９００を皮膚４０に向かって押しつける。その際に、導電線９１１を形成しているカーボン繊維が直径が７μｍ〜１０μｍと細いため、導電線９１１は、皮膚４０に向かって押しつけられると、図１（ｃ）に示すように、皮膚４０と接触している導電束体９１０の先端部の導電線９１１が、押される力により曲がってしまう。
【００１６】
このように、導電束体９１０を形成している導電線９１１が、先端部において曲がると、皮膚４０と導電線９１１との接触面積が安定せず、接触抵抗が変化するため、安定した生体の測定を行うことができない。また、後述するように、導電線９１１を形成しているカーボン繊維が、先端部において曲がると、皮膚４０と接触部分が変化し、抵抗が増加するため、正確な生体の測定を行うことができない。
【００１７】
尚、図１（ｂ）に示すように、導電束体９１０の先端部となる一方の端部９１０ａを皮膚４０に触れる程度の極めて弱い力で接触させれば、導電線９１１の先端部は曲がることはない。しかしながら、皮膚４０は人体等の一部であるため動くので、皮膚４０から導電束体９１０の先端部が離れる場合があり、接触状態が安定せず正確な生体情報の測定を行うことができない。従って、生体情報の測定を行う際には、ある程度の力で電極９００を皮膚４０に向けて押しつける必要があるが、電極９００を皮膚４０に向けて押しつけると、図１（ｃ）に示すように、導電束体９１０の先端部が曲がってしまう。
【００１８】
更に、導電線９１１を形成しているカーボン繊維が、先端部において曲がると、抵抗が増加することについて、比較例及び本実施の形態に用いるカーボン繊維の特性に基づき説明する。図２は、カーボン繊維（図２に示すＣＦ）を示した説明図である。
【００１９】
図２に示すように、カーボン繊維は、カーボン繊維の繊維軸方向（図２に示す破線矢印Ａ）における比抵抗と繊維軸に垂直な方向（図２に示す破線矢印Ｂ）における比抵抗とは大きく異なっている。具体的には、破線矢印Ａに示すカーボン繊維の繊維軸方向における比抵抗は、破線矢印Ｂに示す繊維軸に垂直な方向における比抵抗よりも、２〜３桁程度低い。従って、図１（ｃ）に示すように、カーボン繊維の先端部（導電線９１１の先端部）が曲がってしまうと、カーボン繊維の側面と皮膚４０とが接するため、カーボン繊維の端面と皮膚４０とが接触した場合と比較して、導電線９１１、ひいては導電束体９１０と皮膚４０との接触抵抗は高くなる。
【００２０】
以上より、導電束体９１０を形成している導電線９１１の先端部が曲がると、導電束体９１０を形成している導電線９１１と皮膚４０との接触面積が変動するため、接触抵抗が変動し、また、皮膚４０が導電線９１１を形成しているカーボン繊維の側面と接するため、接触抵抗は高くなる。従って、図１（ｃ）に示すように、導電束体９１０を形成している導電線９１１の先端部が曲がってしまうと、安定して精度良く生体情報の測定を行うことができなくなる。
【００２１】
（生体情報測定用電極）
次に、第１実施の形態における生体情報測定用電極の構成について、図３に基づき説明する。図３（ａ）は、第１実施の形態における生体情報測定用電極の構造の断面を示す図であり、図３（ｂ）は、導電束体１１０と端子部１３０とを接続したものの断面を示す図であり、図３（ｃ）は、保護部材１２０に蛇腹体１４０を接続したものの断面を示す図である。尚、図３では断面を示しているが、生体情報測定用電極は立体的に形成されており、紙面の手前及び奥行き方向にも同様の形状となっている。
【００２２】
第１実施の形態における生体情報測定用電極は、図３（ａ）に示すように、複数の導電線１１１を有する導電束体１１０と、導電束体１１０の周囲に位置する保護部材１２０と、導電束体１１０と電気的に接続された端子部１３０と、一方向（図３に示す破線矢印Ｃ）に沿って変形可能な支持部材と、を備えて構成されている。尚、第１実施の形態では、支持部材として、一方向に伸縮自在の蛇腹体１４０を用いている。
【００２３】
先ず、導電束体１１０は、図３（ａ）及び図３（ｂ）に示すように、導電性を有したカーボン繊維により形成された複数の導電線１１１を備えて構成されており、各々のカーボン繊維の繊維軸方向が同じ方向となるように、導電線１１１が一方向（図３に示す破線矢印Ｃ）に揃えられて束ねられている。そして、導電束体１１０の一方の端部１１０ａである先端部が生体に接触する接触可能な部分となっており、導電束体１１０の他方の端部１１０ｂが端子部１３０に接続されている。尚、後述するが、端子部１３０が導電性を有する金属材料等により形成されており、導電束体１１０の他方の端部１１０ｂと端子部１３０とは電気的に接続されることとなる。
【００２４】
次に、保護部材１２０は、ポリプロピレン樹脂（ＰＰ、polypropylene）等の合成樹脂を射出成形して作製しており、円筒状に形成されている（図３（ｃ）を参照）。そして、保護部材１２０は、図３（ａ）に示すように、その円筒状の内部に導電束体１１０を収容し、導電束体１１０の周囲に位置することとなる。尚、第１実施の形態では、保護部材１２０として、煮沸消毒に耐えられる程度の耐熱性を有した合成樹脂を好適に用いたが、これに限るものではない。また、絶縁性を有する合成樹脂料を好適に用いたが、これに限るものではなく、例えばカーボン等の導電性を有する材料であっても良い。また、保護部材１２０の形状が円筒状に形成されているが、その横断面形状が円に限るものではなく、例えばその横断面形状が多角形状等で筒状に形成されていても良い。
【００２５】
また、保護部材１２０は、図３（ａ）に示すように、保護部材１２０の一方の端部１２０ａである一端部の近傍において、導電束体１１０の先端部を覆うようにして取り囲んでいる。そして、第１実施の形態では、導電束体１１０の先端部が保護部材１２０内に全て収容されている。尚、第１実施の形態では、保護部材１２０が導電束体１１０のほぼ全域を取り囲んだ円筒状であるが、これに限るものではなく、導電束体１１０の先端部側を取り囲んでいれば良い。
【００２６】
次に、端子部１３０は、上述したように導電性を有する金属材料等により形成されており、円板形状の基体部１３０ｋと基体部１３０ｋの中央部から突出した凸部１３０ｔとを有して構成されている。そして、端子部１３０の基体部１３０ｋと導電束体１１０の他方の端部１１０ｂとが、例えば、不図示の導電性接着剤により固定されて接続されている（図３（ａ）及び図３（ｂ）を参照）。
【００２７】
これにより、端子部１３０は、導電束体１１０を保持するとともに、導電束体１１０と電気的に接続される。つまり、端子部１３０は、電気信号を取り出すための端子の機能の他に、導電束体１１０を保持する保持部材の機能も有している。尚、端子部１３０と導電束体１１０の他方の端部１１０ｂとは、直接接続されていなくとも、電気的に接続されていれば良い。例えば、導電性を有した保持部材で導電束体１１０を保持し、リード線等を介して、この保持部材と端子部１３０とが接続されていても良い。
【００２８】
また、端子部１３０は、不図示の測定装置と接続する機能を有しており、導電束体１１０を介して得られた皮膚４０からの電気信号を測定装置に伝えている。具体的には、端子部１３０は、不図示のリード線及び不図示のターミナルに接続されており、このターミナルと測定装置とが接続されている。
【００２９】
最後に、支持部材である蛇腹体１４０は、保護部材１２０と保持部材である端子部１３０とを接続するものであって、一方向（図３に示す破線矢印Ｃ）に沿って伸縮可能（変形可能）である。具体的には、蛇腹体１４０の一方は、保護部材１２０の他方の端部１２０ｂに接続されており、蛇腹体１４０の他方は、端子部１３０に接続されている。そして、蛇腹体１４０は、保護部材１２０の一方の端部１２０ａが端子部１３０が設けられている方向に押されると縮み、保護部材１２０の一方の端部１２０ａを押している力がなくなると、伸びることとなる。これにより、第１実施の形態における生体情報測定用電極は、導電束体１１０の一方向への可動を容易に行うことができ、導電束体１１０の先端部を皮膚に簡単に押しつけることができる。
【００３０】
また、第１実施の形態においては、一方向に伸縮自在の蛇腹体１４０に代えて、一方向に弾性を有して変形可能なバネ体或いはゴム体を用いても良い。本願においては、一方向に伸縮自在な蛇腹体１４０、一方向に弾性を有するバネ体或いはゴム体を一方向に沿って変形可能な支持部材と記載する場合がある。この場合には、端子部１３０は、導電束体１１０を保持する保持部材としての機能を有している。
【００３１】
以上のように、第１実施の形態においては、蛇腹体１４０等の変形可能な支持部材が、保護部材１２０に接続されているため、保護部材１２０の先端である一方の端部１２０ａが、皮膚４０に接触する際に、柔軟性をもって皮膚４０に接触する。このため、導電束体１１０の先端部を皮膚４０に苦痛を与えることなく、容易に押しつけることができる。
【００３２】
（生体情報測定用電極の接触）
次に、第１実施の形態における生体情報測定用電極を皮膚に接触させる場合について、図４及び図５に基づき説明する。図４は、第１実施の形態における生体情報測定用電極が皮膚に接触する様子を説明した説明図である。図５は、図４（ｂ）で一点鎖線５Ａで囲んだ部分の要部拡大図である。
【００３３】
第１実施の形態においては、最初に、図４（ａ）に示すように、導電束体１１０の先端部となる一方の端部１１０ａを皮膚４０側に向けて配設し、皮膚４０に保護部材１２０の一方の端部１２０ａを接触させる。その際には、導電束体１１０の先端部が保護部材１２０内に全て収容されているので、導電束体１１０の先端は、皮膚４０と僅かに離間しているか、皮膚４０と僅かに接触している状態となっている。
【００３４】
次に、端子部１３０側から皮膚４０に向けて端子部１３０を押すと、図４（ｂ）に示すように、蛇腹体１４０が一方向（図４に示す破線矢印Ｃ）に沿って縮み、端子部１３０に保持された導電束体１１０が保護部材１２０に対して（相対して）一方向に移動する。そして、図５に示すように、導電束体１１０の先端部（一方の端部１１０ａ）が皮膚４０に押し付けられるとともに、導電束体１１０が曲がって変形する。
【００３５】
その際に、第１実施の形態においては、図５に示すように、皮膚４０と接触する導電束体１１０の先端部側が保護部材１２０の一端部に取り囲まれているので、カーボン繊維により形成されている導電束体１１０の先端部側は、保護部材１２０により大きく変形することが規制される。このため、生体情報を測定する際に、端子部１３０側より導電束体１１０の先端部を皮膚４０に向けて押しつけても、導電束体１１０の先端部側が、比較例の電極９００（導電束体９１０）のように曲がって横に広がることはなく、導電束体１１０の先端部を皮膚４０に確実に接触させることができる。この際、導電束体１１０の先端部となる一方の端部１１０ａの端面が皮膚４０と接触するため、導電束体１１０の先端部の側面が皮膚４０と接することはない。従って、接触抵抗が高く変動することはなく、生体情報の測定を安定して正確に行うことができる。
【００３６】
また、導電束体１１０の他方の端部１１０ｂは、端子部１３０に接続されており、導電束体１１０の一方の端部１１０ａと皮膚４０とが接触すると、皮膚４０と端子部１３０との間の導電束体１１０の抵抗は、カーボン繊維の繊維軸方向であるため低くなっている。従って、生体情報の測定を正確に行うことができる。即ち、導電束体１１０を形成しているカーボン繊維は一方向である繊維軸方向に対して低抵抗となる導電異方性を有しており、カーボン繊維により形成された導電束体１１０の他方の端部１１０ｂは端子部１３０に接続されているので、それぞれの接触抵抗が低くなる。よって、導電束体１１０の一方の端部１１０ａの端面が皮膚４０と接触した場合、端子部１３０と皮膚４０との間における導電束体１１０の抵抗は低いため、正確な生体情報の測定が可能となる。
【００３７】
また、第１実施の形態の蛇腹体１４０に代えて、一方向に弾性を有するバネ体又はゴム体を用いた場合には、生体情報の測定等が終了して生体より導電束体１１０が離れると、バネ体及びゴム体の弾性により、導電束体１１０は生体と接触していない元の状態、つまり導電束体１１０の先端部を保護部材１２０に収容した状態に戻ることとなる。このため、次に生体情報を測定する間でも、導電束体１１０の先端部を外的な衝撃から保護することができる。
【００３８】
（変形例）
第１実施の形態における生体情報測定用電極は、導電束体１１０の先端部となる一方の端部１１０ａが皮膚４０に接触していない状態では、図６（ａ）に示すように、保護部材１２０の一方の端部１２０ａよりも導電束体１１０の一方の端部１１０ａが出ていても良い（変形例１）。保護部材１２０の一方の端部１２０ａよりも導電束体１１０が出ている場合では、保護部材１２０の一方の端部１２０ａから導電束体１１０の一方の端部１１０ａまでの長さＬ１は、０．５ｍｍ以下であることが好ましい。この範囲であれば、導電束体１１０の先端部が曲がることなく、皮膚４０に確実に接触させることができるからである。
【００３９】
また、第１実施の形態における生体情報測定用電極は、図６（ｂ）に示すように、保護部材１２０の一方の端部１２０ａよりも導電束体１１０の一方の端部１１０ａが引っ込んでいても良い（変形例２）。即ち、導電束体１１０の一方の端部１１０ａが皮膚４０に接触していない状態では、導電束体１１０の一方の端部１１０ａである先端部が、保護部材１２０内に全て収容されているものであっても良い。保護部材１２０の一方の端部１２０ａよりも導電束体１１０が引っ込んでいる場合では、保護部材１２０の一方の端部１２０ａから導電束体１１０の一方の端部１１０ａまでの長さＬ２は、例えば、３ｍｍ以下であることが好ましい。
【００４０】
この変形例２の場合、生体情報を測定する際には、最初に、皮膚４０に保護部材１２０の一方の端部１２０ａが接触し、この後、導電束体１１０の先端部が接触する。従って、導電束体１１０の先端部が皮膚４０に接触しても、保護部材１２０により確実に規制されるため、導電束体１１０の先端部が広がることを抑制することができる。これにより、導電束体１１０の先端部と皮膚４０との接触を確実にすることができ、高い信頼性で生体情報の測定を行うことができる。なお、云うまでもないが、一方向に伸縮自在の蛇腹体１４０の可動範囲は、前述した長さＬ２以上に設定している。
【００４１】
また、第１実施の形態における生体情報測定用電極は、図７に示すように、導電束体１１０の他方の端部１１０ｂの近傍において、導電束体１１０を保持する保持部材１５０を有する構成でも良い（変形例３）。その際には、保持部材の機能を有していた端子部１３０（前述した）は、電気信号を取り出すための端子の機能のみを有した端子部１３０Ｃ（図７を参照）となる。
【００４２】
〔第２実施の形態〕
次に、第２実施の形態について説明する。図８（ａ）は、第２実施の形態における生体情報測定用電極を上面側から見た斜視図であり、図８（ｂ）は、第２実施の形態における生体情報測定用電極を底面側から見た斜視図である。図９は、図８（ａ）における一点鎖線８Ａ−８Ｂより矢印で示す方向に切断した断面図である。
【００４３】
第２実施の形態における生体情報測定用電極は、図８（ｂ）に示すように、互いに対応する１つの導電束体１１０と１つの保護部材１２０とにより、１組の電極脚が形成され、この電極脚が複数設けられたものである（図８（ｂ）を参照）。そして、複数の電極脚を設けることにより、電極脚が１つの場合と比較して、皮膚４０との接触部分が増え接触抵抗が低くなり、接触不良も低減するため、生体情報の測定を安定して正確に行うことができる。なお、電極脚は、図８（ｂ）に示す９組と、限るものではない。
【００４４】
具体的には、第２実施の形態における生体情報測定用電極は、図８及び図９に示すように、複数の電極脚における保護部材１２０を一体的に支持している保護基体２２０と、複数の電極脚における導電束体１１０を一体的に保持している保持基体２５０と、複数の導電束体１１０と電気的に接続されている端子部２３０と、保護基体２２０と保持基体２５０とを接続している支持部材２４０と、を備えて構成されている。また、第２実施の形態では、支持部材２４０として、第１実施形態と同様に、一方向に伸縮自在の蛇腹体１４０を用いている。
【００４５】
先ず、電極脚は、図９に示すように、複数の導電線１１１を有する導電束体１１０と、導電束体１１０の周囲に位置する保護部材１２０と、で、１対を構成し、複数設けられている（図８（ｂ）を参照）。そして、それぞれの電極脚において、皮膚４０と接触する導電束体１１０の先端部側が保護部材１２０の一端部に取り囲まれている。
【００４６】
次に、保護基体２２０は、ポリカーボネート樹脂（ＰＣ、polycarbonate）等の耐熱性の合成樹脂を射出成形して作製しており、図８（ｂ）に示すように、円板形状に形成されている。そして、保護基体２２０は、複数の保護部材１２０を一体的に支持している。なお、第２実施の形態においては、保護基体２２０と複数の保護部材１２０とは、一体で射出成形して作製している。尚、第２実施の形態では、保護基体２２０として、煮沸消毒に耐えられる程度の耐熱性を有した合成樹脂を好適に用いたが、これに限るものではない。また、絶縁性を有する合成樹脂料を好適に用いたが、これに限るものではなく、例えばカーボン等の導電性を有する材料であっても良い。
【００４７】
次に、保持基体２５０は、導電性を有する金属材料等により作製されており、図８（ａ）に示すように、円板形状に形成されている。そして、保持基体２５０は、図９に示すように、複数の導電束体１１０の他方の端部１１０ｂと接続しており、不図示の導電性接着剤で複数の導電束体１１０を固定し、複数の導電束体１１０を一体的に保持している。これにより、保持基体２５０は、複数の導電束体１１０と電気的に接続されることとなる。
【００４８】
次に、端子部２３０は、導電性を有する金属材料等により形成されており、図８（ａ）に示すように、円柱形状に形成されている。そして、端子部２３０は、図８（ａ）及び図９に示すように、不図示の導電性接着剤で保持基体２５０の中央部分に固定されて接続されている。これにより、端子部２３０は、保持基体２５０を介して、複数の導電束体１１０と電気的に接続されることとなる。
【００４９】
また、端子部２３０は、第１実施の形態と同様に、不図示の測定装置と接続する機能を有しており、導電束体１１０を介して得られた皮膚４０からの電気信号を測定装置に伝えている。尚、端子部２３０と保持基体２５０とは、直接接続していなくても良く、例えばリード線等で電気的に接続されていても良い。
【００５０】
最後に、支持部材２４０は、第１実施の形態と同様に、一方向に沿って伸縮可能（変形可能）な蛇腹体１４０を用いている。そして、支持部材２４０は、図８に示すように、蛇腹体１４０を４つ用いて、保護基体２２０と保持基体２５０とを接続している。なお、第１実施の形態と同様に、一方向に伸縮自在の蛇腹体１４０に代えて、一方向に弾性を有して変形可能なバネ体或いはゴム体を用いても良い。
【００５１】
以上のように構成された第２実施の形態における生体情報測定用電極は、皮膚４０と接触する導電束体１１０の先端部側が保護部材１２０の一端部に取り囲まれているので、カーボン繊維により形成されている導電束体１１０の先端部側は、保護部材１２０により大きく変形することが規制される。このため、生体情報を測定する際に、端子部２３０側より導電束体１１０の先端部を皮膚４０に向けて押しつけても、導電束体１１０の先端部側が、比較例の電極９００（導電束体９１０）のように曲がって横に広がることはなく、導電束体１１０の先端部を皮膚４０に確実に接触させることができる。そして、導電束体１１０の先端部となる一方の端部１１０ａの端面が皮膚４０と接触することとなり、導電束体１１０の先端部の側面が皮膚４０と接することが生じない。従って、接触抵抗が高くなることもなく、接触抵抗が変動することもなく、生体情報の測定を安定して正確に行うことができる。
【００５２】
また、第２実施の形態における生体情報測定用電極は、保護基体２２０により複数の保護部材１２０を一体的に支持し、保持基体２５０により複数の導電束体１１０を一体的に保持することにより、端子部２３０側から複数の導電束体１１０の先端部を皮膚４０に押しつけた際に、複数の導電束体１１０の先端部を皮膚４０に同時に、均一に押しつけることができる。これにより、容易に生体情報の測定を安定して正確に行うことができる。
【００５３】
（変形例）
第２実施の形態における生体情報測定用電極は、図１０に示すように、複数の導電束体１１０の他方の端部１１０ｂの近傍において、保持部材である保持基体２５０Ｃを配設し、保持基体２５０Ｃにより複数の導電束体１１０を一体的に保持する構成としても良い。その際には、この保持基体２５０Ｃと保護基体２２０とは、支持部材２４０により接続されている（変形例４）。この場合においても、複数の導電束体１１０の先端部を皮膚４０に押しつけた際に、複数の導電束体１１０の先端部を皮膚４０に同時に、均一に押しつけることができる。即ち、複数の保護部材１２０が一体的に保持されている保護基体２２０と、複数の導電束体１１０を一体的に保持する保持基体２５０Ｃとが、支持部材２４０である蛇腹体１４０により接続されているので、複数の保護部材１２０及び複数の導電束体１１０をまとめて、皮膚４０に押しつけることができる。このことにより、複数の導電束体１１０の先端部の端面を皮膚４０に容易に押しつけることができる。
【００５４】
また、第２実施の形態における生体情報測定用電極は、図１０に示すように、第１実施の形態と同様に、導電束体１１０のそれぞれに対応して端子部１３０をそれぞれ設けた構成でも良い（変形例５）。その際には、それぞれの端子部１３０と不図示の測定装置とが、リード線等を介して電気的に接続されている。
【００５５】
また、第２実施の形態における生体情報測定用電極は、図１０に示すような端子部１３０を複数設ける構成ではなく、１つの端子部を設ける構成でも良い（変形例６）、その際には、この端子部と保持基体２５０Ｃとをリード線等を介して電気的に接続させている。
【００５６】
以上、実施の形態について詳述したが、特定の実施形態に限定されるものではなく、特許請求の範囲に記載された範囲内において、種々の変形及び変更が可能である。
【符号の説明】
【００５７】
４０        皮膚
１１０      導電束体
１１０ａ    一方の端部
１１０ｂ    他方の端部
１１１      導電線
１２０      保護部材
１２０ａ    一方の端部
１２０ｂ    他方の端部
１３０      端子部
１４０      蛇腹体
２２０      保護基体
２５０      保持基体
【図１】
2018068837.tif 000003
【図２】
2018068837.tif 000004
【図３】
2018068837.tif 000005
【図４】
2018068837.tif 000006
【図５】
2018068837.tif 000007
【図６】
2018068837.tif 000008
【図７】
2018068837.tif 000009
【図８】
2018068837.tif 000010
【図９】
2018068837.tif 000011
【図１０】
2018068837.tif 000012